(57)【要約】【課題】  超微細配線パターンを有するＬＣＤ用ＴＡＢテープのような半導体装置用テープキャリアを、材料資源的および時間的な無駄を削減して、安定的に製造することが可能な製造方法を提供する。【解決手段】  この製造方法は、絶縁性フィルム基板１上に形成された銅層２上に液状レジストを塗付してレジスト膜６を形成する工程と、それを露光・現像して、配線パターン形成用の配線レジストパターン７を形成すると共に、配線レジストパターン７の最小パターン幅よりも小さいパターン幅を有する検査用レジストパターン８を形成する工程と、検査用レジストパターン８を用いて配線レジストパターン７の寸法検査を行う工程と、配線レジストパターン７をエッチングレジストとして用いて銅層２をエッチング加工して配線パターン１３を形成する工程とを含んでいる。【選択図】  図１
2008205103.tif 000002
【特許請求の範囲】
【請求項１】
絶縁性フィルム基板上に形成された銅層上に液状レジストを塗付してレジスト膜を形成する工程と、
前記レジスト膜を露光・現像して、配線パターン形成用の配線レジストパターンを形成すると共に、前記配線レジストパターンの最小パターン幅よりも小さいパターン幅を有する検査用レジストパターンを形成する工程と、
前記検査用レジストパターンを用いて前記配線レジストパターンの寸法検査を行う工程と、
前記配線レジストパターンをエッチングレジストとして用いたエッチングプロセスにより前記銅層をパターン加工して、配線パターンを形成する工程と
を含むことを特徴とする半導体装置用テープキャリアの製造方法。
【請求項２】
請求項１記載の半導体装置用テープキャリアの製造方法において、
前記エッチングプロセスにより前記検査用レジストパターンに従って前記銅層をパターン加工して検査用パターンを形成し、当該検査用パターンを用いて前記配線パターンの寸法検査を行う工程を、さらに含む
ことを特徴とする半導体装置用テープキャリアの製造方法。
【請求項３】
請求項２記載の半導体装置用テープキャリアの製造方法において、
前記配線パターンを形成した後、前記絶縁性フィルム基板に実装搬送用送り穴をプレス加工によって打ち抜いて形成する工程を、さらに含むと共に、
前記検査用レジストパターンを、前記実装搬送用送り穴が形成される位置に設けておき、前記検査用レジストパターンに従って形成された前記検査用パターンを、前記プレス加工による前記実装搬送用送り穴の打ち抜きと共に除去する
ことを特徴とする半導体装置用テープキャリアの製造方法。
【請求項４】
請求項１ないし３のうちいずれか１項に記載の半導体装置用テープキャリアの製造方法において、
前記配線レジストパターンの寸法検査で規格外と判定された場合には、当該規格外の半導体装置用テープキャリア上のレジストパターンを一旦除去して、再度前記レジスト膜の形成、露光、現像、検査を行う
ことを特徴とする半導体装置用テープキャリアの製造方法。
【請求項５】
請求項１ないし４のうちいずれか１項に記載の半導体装置用テープキャリアの製造方法において、
前記銅層の厚さを１２μｍ以下とする
ことを特徴とする半導体装置用テープキャリアの製造方法。
【請求項６】
請求項１ないし５のうちいずれか１項に記載の半導体装置用テープキャリアの製造方法において、
前記レジスト膜の露光を、投影露光装置によって行う
ことを特徴とする半導体装置用テープキャリアの製造方法。
【発明の詳細な説明】
【技術分野】
【０００１】
本発明は、例えば超微細な配線パターンの形成が要求されるＣＯＦ（Chip On Film）技術を用いてなる液晶表示装置に実装される半導体装置用のＴＡＢテープのような、半導体装置用テープキャリアの製造方法に関する。
【背景技術】
【０００２】
従来、ＣＯＦ用の半導体装置用テープキャリア（ＣＯＦ用ＴＡＢテープ、あるいはＣＯＦ用テープ等とも云う）は、一例を図６の断面図に示すような構造を有しており、例えばＬＣＤ（Liquid Crystal Display；液晶表示装置）用の半導体チップの実装などに用いられる。
そのようなＣＯＦ用ＴＡＢテープは、ポリイミド樹脂フィルムからなる絶縁性基板５１の片面上に、Ｃｒ等（図示省略）を介してＣｕめっきなどにより銅層５２を形成し、他の片面上には、製造工程中における搬送を容易なものとするために、接着剤層等（図示省略）を介して補強フィルム５３を貼り付けたものを用意し、フォトエッチングプロセスを用いたサブトラクティブ法により銅層５２をパターン加工することによって、その配線パターンを中心とした主要部が製造される。
【０００３】
より具体的には、詳細な図示は省略するが、絶縁性基板５１の所定位置にパーフォレーションと呼ばれるテープ搬送用送り穴をプレス加工等によって打ち抜き形成した後、銅層５２上にレジストをコーティングし、その露光および現像を行ってレジストパターンを形成する。それをエッチングレジストとして用いて銅層５２をエッチング加工し、配線パターン等を形成する。その後、レジストを剥離して、実装用の搬送穴をプレス加工等により打ち抜き形成し、半導体チップおよび液晶用ガラスの接続用のＳｎめっきを施す。続いて、絶縁性基板５１から補強フィルム５３を引き剥がし、配線パターン上の絶縁性確保および機械的強度補強のためのソルダーレジストを形成する。そして、スリット・検査等を経て、製品が出荷される。
【０００４】
ところで、近年では、ＬＣＤの高精細化・カラー化に伴って、ＬＣＤ用ＴＡＢテープの配線パターンには、さらなる超微細化が要請されるようになって来ており、それに対応するために中空配線等が不要なＣＯＦ技術が開発されて、超微細配線パターンを有するＴＡＢテープの製造が可能となることが期待されている（特許文献１参照）。
またその他にも、上記のような超微細配線パターンの安定的な作製を可能とするべく種々の技術開発・研究や提案が行われている（特許文献２参照）。
【特許文献１】特開２００６−１３０７４７号公報
【特許文献２】特開２００５−３０３０８９号公報
【発明の開示】
【発明が解決しようとする課題】
【０００５】
しかしながら、従来の技術による半導体装置用テープキャリアの製造方法では、上記のような超微細配線パターンを安定的に製造することは容易ではなく、多数の不良品を出してしまう虞があり、それが延いては製造コストの低廉化や製造工程における材料資源的および時間的な無駄の削減に対する著しい妨げとなるという問題があった。
【０００６】
すなわち、配線の超微細化を促進するに当たり、いわゆるフォトエッチングプロセスで用いられるエッチングレジストには、エッチング液の浸透性を向上させるために、薄膜化が要請される。また、超微細パターンを高精度にパターニングするために高解像度であることが要求される。従って、一般に、薄膜化および高解像度の両方のファクタに適合可能な液状レジストが好適なものとして用いられる。
【０００７】
ところが、液状レジストをキャリアテープの全面に亘って極めて精確に均一な膜厚でコーティングすることは困難である。このため、レジスト膜の膜厚には不可避的にばらつきが発生するが、そのばらつきが、露光〜現像後のレジストパターンの寸法誤差、特にパターン幅の寸法誤差を発生させる主要因となる傾向にある。また、露光装置における露光照度の面内ばらつき等もパターン幅の誤差発生要因となり得る。このような要因によって、超微細配線パターンを安定的に製造することが困難となり、延いては製造コストの低廉化や製造工程における材料資源的および時間的な無駄の削減に対する著しい妨げとなっている。
【０００８】
また、上記のような超微細配線パターンの寸法や形状等を迅速かつ精確に検査することが容易ではないという問題があった。
【０００９】
本発明は、このような問題に鑑みて成されたもので、その目的は、超微細配線パターンを有するＬＣＤ用ＴＡＢテープのような半導体装置用テープキャリアを、材料資源的および時間的な無駄を削減して、安定的に製造することを可能とした製造方法を提供することにある。
【課題を解決するための手段】
【００１０】
本発明の第１の半導体装置用テープキャリアの製造方法は、絶縁性フィルム基板上に形成された銅層上に液状レジストを塗付してレジスト膜を形成する工程と、前記レジスト膜を露光・現像して、配線パターン形成用の配線レジストパターンを形成すると共に、前記配線レジストパターンの最小パターン幅よりも小さいパターン幅を有する検査用レジストパターンを形成する工程と、前記検査用レジストパターンを用いて前記配線レジストパターンの寸法検査を行う工程と、前記配線レジストパターンをエッチングレジストとして用いたエッチングプロセスにより前記銅層をパターン加工して、配線パターンを形成する工程とを含むことを特徴としている。
【００１１】
本発明の第２の半導体装置用テープキャリアの製造方法は、上記第１の半導体装置用テープキャリアの製造方法において、前記エッチングプロセスにより前記検査用レジストパターンに従って前記銅層をパターン加工して検査用パターンを形成し、当該検査用パターンを用いて前記配線パターンの寸法検査を行う工程を、さらに含むことを特徴としている。
【００１２】
本発明の第３の半導体装置用テープキャリアの製造方法は、上記第２の半導体装置用テープキャリアの製造方法において、前記配線パターンを形成した後、前記絶縁性フィルム基板に実装搬送用送り穴をプレス加工によって打ち抜いて形成する工程を、さらに含むと共に、前記検査用レジストパターンを、前記実装搬送用送り穴が形成される位置に設けておき、前記検査用レジストパターンに従って形成された前記検査用パターンを、前記プレス加工による前記実装搬送用送り穴の打ち抜きと共に除去することを特徴としている。
【００１３】
本発明の第４の半導体装置用テープキャリアの製造方法は、上記第１ないし３のうちいずれかに記載の半導体装置用テープキャリアの製造方法において、前記配線レジストパターンの寸法検査にて規格外と判定された場合には、当該規格外の半導体装置用テープキャリア上のレジストパターンを一旦除去して、再度前記レジスト膜の形成、露光、現像、検査を行うことを特徴としている。
【００１４】
本発明の第５の半導体装置用テープキャリアの製造方法は、上記第１ないし４のうちいずれかに記載の半導体装置用テープキャリアの製造方法において、前記銅層の厚さを１２μｍ以下とすることを特徴としている。
【００１５】
本発明の第６の半導体装置用テープキャリアの製造方法は、上記第１ないし５のうちいずれかに記載の半導体装置用テープキャリアの製造方法において、前記レジスト膜の露光を、投影露光装置によって行うことを特徴としている。
【発明の効果】
【００１６】
本発明によれば、レジスト膜を露光・現像して、配線パターン形成用の配線レジストパターンを形成すると共に、配線レジストパターンの最小パターン幅よりも小さいパターン幅を有する検査用レジストパターンを形成し、その検査用レジストパターンを用いて配線レジストパターンの寸法検査を行うようにしたので、配線パターンを形成する以前の段階で、そのとき製造途中の半導体装置用テープキャリアの品質管理を行うことができ、延いては材料資源的および時間的な無駄を削減して、安定的に超微細配線パターンを有する半導体装置用テープキャリアを製造することが可能となる。
【発明を実施するための最良の形態】
【００１７】
以下、本実施の形態に係る半導体装置用テープキャリアの製造方法について、図面を参照して説明する。
図１は、この半導体装置用テープキャリアの製造方法における主要な各工程を示す断面図、図２は、その主要な流れを示す図、図３は、この製造方法で用いられるレジスト露光用マスクのマスクパターンを示す図、図４は、図３に示したマスクパターンのうち、配線レジストパターンの部分（ａ）および検査用レジストパターンの部分（ｂ）を、特に抽出し拡大して示す図、図５は、本発明の実施例で確認された工程能力Ｃpk向上の具体的数値を示す図である。
【００１８】
この製造方法を開始するに当たり、まず、図１（ａ）に示したような、絶縁性フィルム基板１の表面上に銅層２を形成すると共に裏面には補強用フィルム３を貼り合わせてなる、いわゆる銅付絶縁基材４を用意する（図２のＳ１）。
絶縁性フィルム基板１は、例えばポリイミド樹脂フィルムなどからなる一般的な材質のもので構わない。銅層２は、絶縁性フィルム基板１の表面上に、例えばＣｒスパッタ層（図示省略）を介して銅めっきなどにより形成することが可能である。
【００１９】
この銅付絶縁基材４では、銅層２の厚さを１２μｍ以下とすることが望ましい。これは、微細配線を形成するためには銅厚を１２μｍ以下とすることが有効だからである。例えば、銅めっきの積み上げが、微細配線のピッチ３０μｍ（銅配線幅：１５μｍ、スペース：１５μｍ）の形成の限界値であり、それ以上厚いと微細配線の直線性が無くなり、欠陥（配線の欠け、細り、太り）が多くなり、歩留まりが悪くなり、製造が不可能になるためである。また、銅層の厚みは、０．１μｍ以上にすることがより望ましい。銅層の厚みを０．１μｍ未満とすると、銅層にピンホールが多発する。そこで、銅層の厚みを０．１μｍ以上にすることで効果的にピンポールを抑制することができる。
また、一般に半導体装置用テープキャリアは屈曲させて使用される場合が多いので、この銅付絶縁基材４においても、絶縁性フィルム基板１の厚さを５０μｍ以下とすることが望ましく、さらには３８μｍ以下とすることが望ましい。
【００２０】
そして、図１（ｂ）に示したように、製造用搬送送り穴（ＰＨ；パーフォレーション穴）５をプレス加工により打ち抜き形成し（図２のＳ２）、その後、図１（ｃ）に示したように、銅層２の表面ほぼ全面上を覆うように液状レジストを塗付してレジスト膜６のコーティングを行う（図２のＳ３）。
【００２１】
続いて、図１（ｄ）に示したように、レジスト露光用マスク（図１では図示省略）を用いて投影露光装置によってレジスト膜６を露光し（図２のＳ４）、そのレジスト膜６を現像して、図１（ｅ）に示したように、配線レジストパターン７および検査用レジストパターン８を得る（図２のＳ５）。
【００２２】
配線レジストパターン７は、図３に示したレジスト露光用マスクの配線レジストマスクパターン１１を転写してなるもので、図４（ａ）に示すように縦方向の複数本の直線的パターンからなり、各配線領域９内に形成されている。
検査用レジストパターン８は、図３に示したレジスト露光用マスクの検査用レジストマスクパターン１２を転写してなるもので、一つの配線領域９に対してその左右にそれぞれ所定の個数ずつ、後の工程で実装搬送用送り穴１０が形成される位置に配置されている。この検査用レジストパターン８は、図４（ｂ）に示したように、配線レジストパターン７の最小パターン幅よりも小さい（未満の）幅の縦方向パターンおよび横方向パターンを有するように設定されており、この検査用レジストパターン８を用いて配線レジストパターン７の寸法精度（あるいは寸法信頼性）の検査を簡易かつ高い信頼性で行うことができるものとなっている。また、後の工程で実装搬送用送り穴１０が形成される位置に配置するようにしているので、この検査用レジストパターン８を設けることに起因して配線領域９の面積が犠牲になることを実質的に回避することができるようになっている。
【００２３】
引き続いて、検査用レジストパターン８を用いて、その検査用レジストパターン８に対応して隣接している配線領域９内の配線レジストパターン７の寸法検査を行う。
すなわち、まず検査用レジストパターン８のパターン幅を測定する（図２のＳ６）。そしてその測定されたパターン幅が所定の寸法精度許容範囲内（寸法の管理規格値の上限と下限との間の範囲内）にあるか否かを判定する（図２のＳ７）。このとき検査用レジストパターン８のパターン幅が所定の寸法精度許容範囲内にあった場合には（図２のＳ７のＹＥＳ）、配線領域９内の配線レジストパターン７の寸法精度が所定の許容範囲内にあるものと見做して、そのとき検査したレジストパターン付き半導体装置用テープキャリアを、次工程であるエッチング工程へと投入する（図２のＳ９）。
【００２４】
しかし検査用レジストパターン８のパターン幅が許容範囲を逸脱していた場合には（図２のＳ７のＮＯ）、配線領域９内の配線レジストパターン７の寸法精度が所定の許容範囲を逸脱しているものと見做して、その規格外の半導体装置用テープキャリア上のレジストパターン全体を一旦除去し（図２のＳ８）、再び液状レジスト塗付・レジスト膜形成〜露光〜現像〜検査を行う（図２のＳ３〜Ｓ５）。
こうして再び現像して得られたレジストパターンのうちから検査用レジストパターン８のパターン幅をまた測定し（図２のＳ６）、それが所定の寸法精度許容範囲内にあった場合には（図２のＳ７のＹＥＳ）、そのとき検査したレジストパターン付きの半導体装置用テープキャリアを、次工程であるエッチング工程へと投入する（図２のＳ９）。
【００２５】
この検査工程では、後のエッチング加工で形成される配線パターン１３のパターン幅が所定の寸法精度を満たすことができ、かつ所定の高い工程能力を示すことになるように、検査用レジストパターン８のパターン幅の寸法管理規格値を設定しておく。
【００２６】
続いて、図１（ｆ）に示したように、サブトラクティブ法によるエッチングプロセスを用いたエッチング工程で、配線レジストパターン７をエッチングレジストとして用いた銅層２のパターン加工を行って、配線パターン１３を形成すると共に、同じエッチング工程で検査用レジストパターン８をエッチングレジストとして用いた銅層２のパターン加工を行って、検査用パターン１４を形成する（図２のＳ９）。その後、図１（ｇ）に示したように、レジスト剥離を行う（図２のＳ１０）。
【００２７】
そして、上記のエッチング工程によって得られた検査用パターン１４を用いて、その検査用パターン１４に対応して隣接している配線領域９内の配線パターン１３の寸法検査を行う。
【００２８】
すなわち、まず検査用パターン１４のパターン幅を測定する（図２のＳ１１）。そしてその測定されたパターン幅が所定の寸法精度許容範囲内にあるか否かを判定する（図２のＳ１２）。このとき、所望の寸法精度でエッチング加工が為されていた場合には、検査用パターン１４のパターン幅は、配線パターン１３の最小パターン幅よりも小さくなっており、かつその寸法精度は所定の許容範囲内に収まっているはずである。換言すれば、検査用パターン１４のパターン幅が所定の許容範囲内に収まっていない場合には、極めて高い確率で、配線パターン１３のパターン幅も所定の許容範囲内に収まっていないものと判定することができる（このことは、上記の検査用レジストパターン８の検査工程における配線レジストパターン７の判定についても同様である）。
従って、測定された検査用パターン１４のパターン幅が、所定の寸法精度許容範囲内にあった場合には（図２のＳ１２のＹＥＳ）、配線領域９内の配線パターン１３の寸法精度が所定の許容範囲内にあるものと見做して、そのとき検査した半導体装置用テープキャリアを良品と判定し、次工程である実装搬送用送り穴（実装用ＰＨ）打ち抜き工程へと投入する（図２のＳ１３）。
【００２９】
しかし許容範囲を逸脱していた場合には（図２のＳ１２のＮＯ）、配線領域９内の配線パターン１３の寸法精度が所定の許容範囲を逸脱しているものと見做して、そのとき検査した配線パターン付きの半導体装置用テープキャリアを不良品と判定する（図２のＳ２０）。
【００３０】
続いて、図１（ｈ）に示したように、良品と判定された配線パターン付きの半導体装置用テープキャリアの絶縁性フィルム基板１の所定位置に、実装搬送用送り穴１０をプレス加工によって打ち抜いて形成する（図２のＳ１３）。このとき、実装搬送用送り穴１０が打ち抜き形成される位置に検査用パターン１４が設けられているので、実装搬送用送り穴１０の打ち抜きと共に検査用パターン１４も除去される。
【００３１】
その後、図１（ｉ）に示したように、ＩＣチップおよび液晶用ガラス（いずれも図示省略）の接続用のＳｎめっき１５を施す（図２のＳ１４）。
【００３２】
続いて、図１（ｊ）に示したように、絶縁性フィルム基板１から補強フィルム３を引き剥がす（図２のＳ１５）。そして、図１（ｋ）に示したように、配線パターン１３上の絶縁性確保および機械的強度補強のためのソルダーレジスト１６を印刷形成する（図２のＳ１６）。続いて、図１（ｌ）に示したように、スリット切断を行う（図２のＳ１７）。図３に示したように１本の絶縁性フィルム基板１に３条の半導体装置用テープキャリアを形成するようにしている場合には、このスリット工程で1本の絶縁性フィルム基板１が３条の半導体装置用テープキャリアに分割されることとなる。
そして最終検査等を経て（図２のＳ１８）、良品の半導体装置用テープキャリアが製品として出荷される（図２のＳ１９）。
【００３３】
このような本実施の形態に係る半導体装置用テープキャリアの製造方法によれば、レジスト膜６を露光・現像して、配線パターン形成用の配線レジストパターン７を形成すると共に、配線レジストパターン７の最小パターン幅よりも小さいパターン幅を有する検査用レジストパターン８を形成し、その検査用レジストパターン８を用いて配線レジストパターン７の寸法検査を行うようにしたので、配線レジストパターン７が形成された時点（銅層をエッチング法によりパターン加工して配線パターン１３を形成する以前の段階）から、そのとき製造途中の半導体装置用テープキャリアの品質管理を行うことが可能となり、延いては安定的に超微細配線パターンを有する半導体装置用テープキャリアを製造することが可能となる。
【００３４】
また、その検査用レジストパターン８を用いた配線レジストパターン７の寸法検査で規格外と判定された場合には、その検査用レジストパターン８および配線レジストパターン７を有する規格外の半導体装置用テープキャリア上のレジストパターンを一旦除去して、再びレジスト膜６の形成〜露光〜現像〜検査を行うようにしたので、レジストパターンの形成工程では不良品質と判定された場合でも、それを再利用して良品を製造することが可能となり、延いては材料資源的および時間的な無駄を削減して、安定的に超微細配線パターンを有する半導体装置用テープキャリアを製造することが可能となる。
【００３５】
また、上記の検査用レジストパターン８を用いた検査で良品と判定された場合には、さらにその良品の半導体装置用テープキャリアの銅像２をエッチングによりパターン加工して、検査用レジストパターン８に従って検査用パターン１４を形成すると共に配線レジストパターン７に従って配線パターン１３を形成し、その配線パターン１３の最小パターン幅よりもさらに小さなパターン幅に設定された検査用パターン１４を用いて配線パターン１３の寸法検査を行うようにしたので、エッチングによって実際に形成された配線パターン１３の寸法精度を、より高い信頼性を以て確実に検査することが可能となる。
【００３６】
また、検査用レジストパターン８を、実装搬送用送り穴１０が形成される位置に設けておき、その実装搬送用送り穴１０の打ち抜きと共に検査用パターン１４を除去するようにしたので、配線領域９の面積を犠牲にすることなく検査用レジストパターン８を設けることができ、かつ良品と判定されて製品として出荷される半導体装置用テープキャリアにとっては用済みとなった検査用パターン１４を、工程数を全く追加することなく除去することができる。
【００３７】
しかも、検査用レジストパターン８を、実装搬送用送り穴１０が形成される位置のような一定の位置に配置しているので、そのような位置に設けられている検査用レジストパターン８や検査用パターン１４を測定するだけで配線レジストパターン７や配線パターン１３の検査を確実に行うことができる。従って、配線パターン１３や配線領域９の寸法や外形等が種々に異なる複数品種の半導体装置用テープキャリアを、その各々ごとに検査の際の測定位置を変更して検査する、といった極めて煩雑で検査ミス等を引き起こす要因となる手間を回避して、飛躍的に簡易に、かつ確実に、配線レジストパターン７や配線パターン１３の寸法検査を行うことが可能となる。
【００３８】
また、銅層２の厚さを１２μｍ以下に設定したので、微細配線を精確に形成することが可能となる。
【００３９】
また、レジスト膜６の露光を、投影露光装置によって行うようにしたので、歩留まり等を良好なものとすることが可能となる。但しその反面、投影露光装置におけるレンズの色収差等に起因して、レジスト膜６に対する露光解像度に平面的分布誤差などが生じる虞がある。しかし、そのような誤差も含めて、検査用レジストパターン８や検査用パターン１４を用いた寸法検査を行うことによって、寸法不良等の発生を精確かつ確実に判定することができ、延いては安定的に超微細配線パターンを有する半導体装置用テープキャリアを製造することが可能となる。
【実施例１】
【００４０】
上記の実施の形態で説明したような製造方法に従って、半導体装置用テープキャリアを製造した。
絶縁性フィルム基板１は、厚さを３８μｍとし、その全体の幅を１５８ｍｍとした。そして銅層２の厚さを１２μｍとした。
配線領域９における配線パターン１３のパターン幅は、実配線でいわゆるパターンルールを３０μｍピッチ（配線形成後のパターン幅／ギャップ＝１５μｍ／１５μｍ）に設定した。その配線パターン１３の最小パターン幅は８μｍに設定した。そしてそれに対応して、検査用レジストパターン８のパターン幅を７μｍに設定した。
他方、比較例として、検査用レジストパターン８や検査用パターン１４を有さない、従来の製造方法による半導体装置用テープキャリアを作製した。
【００４１】
それらをそれぞれ３０ロット作製し、エッチング加工によって得られた配線パターンのパターン幅の寸法を測定し、その値に基づいて本実施例の製造方法による場合と従来の製造方法による場合とでの、各々の工程能力Ｃpkを算出して比較した。
この比較実験における配線パターン１３の規格管理値については、パターン幅のターゲット寸法を１５μｍとし、許容誤差を５μｍ（レンジで１０μｍ）とした。なお、比較例については、検査用レジストパターン８を有していないので、現像後の配線レジストパターンを数箇所測定し、所定の寸法精度許容範囲内に適合したものについてエッチング加工して配線パターンを形成し、その寸法を測定した。
ここで、工程能力Ｃpkとしては、配線パターン１３について、上限側（管理規格上限値−測定値の平均値／３σ）と下限側（管理規格下限値−測定値の平均値／３σ）とを算出し、そのうちの低い方の値とすることなどが可能である。一般に、Ｃpkの値が１．３３以上であれば、工程能力が高く、安定的な工程であると判定することができる。
【００４２】
この比較実験の結果を、図５に示す。本実施例の場合には、Ｃpkが１．５８となり、一般的にＣpkの良否の判断基準となる値の１．３３を大幅に上回るものとなり、また比較例の場合のＣpk＝１．０７と比較しても大幅に上回っており、極めて高い工程能力を示すことが確認された。
このように、本実施例の製造方法によれば、工程能力を大幅に向上させることが可能となることが確認された。
【００４３】
なお、検査用レジストパターン８、検査用パターン１４を用いた検査は、抜取検査方式で行ってもよく、あるいは全品検査方式で行ってもよい。
また、検査用パターン１４を用いた検査を省略することも可能である。但しその場合には、エッチング加工によって得られた配線パターン１３の寸法検査は別の方法で行うか、またはその検査自体を省略することになることは云うまでもない。
また、検査用レジストパターン８および検査用パターン１４の形状は、上記のような直線状のみには限定されず、その他にも種々の形状が可能であることは勿論である。
【図面の簡単な説明】
【００４４】
【図１】本発明の一実施の形態に係る半導体装置用テープキャリアの製造方法における主要な各工程を示す断面図である。
【図２】本発明の一実施の形態に係る半導体装置用テープキャリアの製造方法における主要な流れを示す図である。
【図３】レジスト露光用マスクのマスクパターンを示す図である。
【図４】図３のマスクパターンのうち、配線レジストパターンの部分（ａ）および検査用レジストパターンの部分（ｂ）を、特に抽出し拡大して示す図である。
【図５】本発明の実施例で確認された工程能力Ｃｐ向上の具体的数値の一例を示す図である。
【図６】従来のＣＯＦ用の半導体装置用テープキャリアの主要部の構造を示す断面図である。
【符号の説明】
【００４５】
１    絶縁性フィルム基板
２    銅層
３    補強用フィルム
４    銅付絶縁基材
５    製造用搬送送り穴
６    レジスト膜
７    配線レジストパターン
８    検査用レジストパターン
９    配線領域
１０  実装搬送用送り穴
１３  配線パターン
１４  検査用パターン
【図１】
2008205103.tif 000003
【図２】
2008205103.tif 000004
【図４】
2008205103.tif 000005
【図５】
2008205103.tif 000006
【図６】
2008205103.tif 000007
【図３】
2008205103.tif 000008